(57)【特許請求の範囲】
【請求項１】
室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記送風機スイッチの入力の信号を受けて前記モータを制御するモータ駆動手段を設け、設定時間経過を計測する設定時間計測手段を設け、前記励起手段を制御する励起駆動手段を設け、所定時間経過を計測する所定時間計測手段を設け、前記所定時間計測手段が計測している一定時間経過以内に送風機スイッチが操作されたかを判断する送風機スイッチ操作判断手段を設け、一定時間経過以内に前記送風機スイッチが操作されたかを判断して、前記送風機スイッチが操作された時点で、一定時間から所定時間を差し引いた残置時間を記憶する残置時間記憶手段を設け、前記送風機スイッチと、モータ駆動手段と、設定時間計測手段と、励起駆動手段と、所定時間計測手段と、前記送風機スイッチ操作判断手段および前記残置時間記憶手段により送風機のモータおよび励起手段を駆動させる駆動回路を設けた換気装置。
【請求項２】
室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記送風機スイッチの入力の信号を受けて前記モータを制御するモータ駆動手段を設け、設定時間経過を計測する設定時間計測手段を設け、前記励起手段を制御する励起駆動手段を設け、所定時間経過を計測する所定時間計測手段を設け、前記モータ駆動手段と別に前記励起駆動手段による前記励起手段の駆動の信号を受けて送風機のモータを制御するモータ自動駆動手段を設け、前記送風機スイッチと、前記モータ駆動手段と、前記設定時間計測手段と、前記励起駆動手段と、前記モータ自動駆動手段および所定時間計測手段により送風機のモータおよび励起手段を駆動させる駆動回路を設けた換気装置。
【請求項３】
送風機スイッチと、モータ駆動手段と、設定時間計測手段と、励起駆動手段と、モータ自動駆動手段と、所定時間計測手段と、送風機スイッチ操作判断手段および残置時間記憶手段により送風機のモータおよび励起手段を駆動させる駆動回路を設けた請求項１または２記載の換気装置。
【請求項４】
室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記モータを制御するモータ駆動手段を設け、設定時間経過を計測する設定時間計測手段を設け、前記励起手段を制御する励起駆動手段を設け、所定時間経過を計測する所定時間計測手段を設け、前記フード本体の下部に吸気口を設け、前記吸気口に吸気口側二酸化炭素量検知素子を設け、前記吸気口側二酸化炭素量検知素子の入力を検知する吸気口側二酸化炭素量検知手段を設け、排気口に送風機側二酸化炭素量検知素子を設け、前記送風機側二酸化炭素量検知素子の入力を検知する送風機側二酸化炭素量検知手段を設け、前記吸気口側二酸化炭素量検知手段が検知した吸気口側二酸化炭素量と前記送風機側二酸化炭素量検知手段が検知した送風機側二酸化炭素量を比較判断する二酸化炭素量演算手段を設け、送風機スイッチと、モータ駆動手段と、設定時間計測手段と、励起駆動手段と、モータ自動駆動手段と、前記吸気口側二酸化炭素量検知素子と、前記吸気口側二酸化炭素量検知手段と、前記送風機側二酸化炭素量検知素子と、前記送風機側二酸化炭素量検知手段および前記二酸化炭素量演算手段により送風機のモータおよび励起手段を駆動させる駆動回路を設けた換気装置。
【請求項５】
二酸化炭素量演算手段が吸気口側二酸化炭素量と送風機側二酸化炭素量を比較している間に送風機スイッチが操作されたかを判断する送風機スイッチ入力判断手段を設け、前記送風機スイッチと、モータ駆動手段と、設定時間計測手段と、励起駆動手段と、モータ自動駆動手段と、吸気口側二酸化炭素量検知素子と、吸気口側二酸化炭素量検知手段と、送風機側二酸化炭素量検知素子と、送風機側二酸化炭素量検知手段と、前記二酸化炭素量演算手段および前記送風機スイッチ入力判断手段により送風機のモータおよび励起手段を駆動させる駆動回路を設けた請求項４記載の換気装置。
【発明の詳細な説明】
【０００１】
【発明の属する技術分野】
本発明は、家庭の台所用、あるいは業務用の換気装置に使用される油煙等の油汚れにより、不快な状態となることを防止する、自己油浄化機能を運転制御する換気装置に関する。
【０００２】
【従来の技術】
従来、この種の換気装置は、実開昭５９−１５１０２９号公報に記載されたものが知られている。
【０００３】
以下、その換気装置について図１５を参照しながら説明する。図に示すように、本体２０１の内部にファンモータ２０２が設けられ、本体２０１の吸気口２０３にフィルタ２０４が設けられている。本体２０１後面には排気口２０５が設けられ、本体２０１内部に遠赤外線熱源２０６が設けられている。フィルタ２０４には加熱触媒２０７が塗布されている。
【０００４】
上記構成において、遠赤外線熱源２０６を通電加熱するとフィルタ２０４が熱せられ、加熱触媒２０７の作用により、フィルタ２０４の表面に付着した調理油が、触媒分解され、気化することになる。
【０００５】
【発明が解決しようとする課題】
このような従来の換気装置では、加熱触媒２０７を活性化させるために、フィルタ２０４を３００℃以上の高温に上げる必要があり、エネルギーロスが大きく、調理油の触媒分解を行う運転制御が明らかにされていないという課題があり、常温で、調理油の触媒分解を行う運転制御を明らかにすることが要求されている。
【０００６】
本発明は、このような従来の課題を解決するものであり、常温で調理後に付着した調理油を分解、気化する自己浄化機能を有し、この自己浄化機能を運転制御することができる換気装置を提供することを目的としている。
【０００７】
【課題を解決するための手段】
本発明の換気装置は上記目的を達成するために、室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記送風機スイッチの入力の信号を受けて前記モータを制御するモータ駆動手段を設け、設定時間経過を計測する設定時間計測手段を設け、前記励起手段を制御する励起駆動手段を設け、所定時間経過を計測する所定時間計測手段を設け、前記所定時間計測手段が計測している一定時間経過以内に送風機スイッチが操作されたかを判断する送風機スイッチ操作判断手段を設け、一定時間経過以内に前記送風機スイッチが操作されたかを判断して、前記送風機スイッチが操作された時点で、一定時間から所定時間を差し引いた残置時間を記憶する残置時間記憶手段を設け、前記送風機スイッチと、モータ駆動手段と、設定時間計測手段と、励起駆動手段と、所定時間計測手段と、前記送風機スイッチ操作判断手段および前記残置時間記憶手段により送風機のモータおよび励起手段を駆動させる駆動回路を設けた構成としたものである。
【０００８】
そして本発明によれば、常温で調理後に付着した調理油を分解、気化する自己浄化機能を有し、この自己浄化機能を運転制御することができる換気装置が得られる。
【０００９】
また他の手段は、室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記送風機スイッチの入力の信号を受けて前記モータを制御するモータ駆動手段を設け、設定時間経過を計測する設定時間計測手段を設け、前記励起手段を制御する励起駆動手段を設け、所定時間経過を計測する所定時間計測手段を設け、前記モータ駆動手段と別に送風機のモータを制御するモータ自動駆動手段を設け、送風機スイッチと、前記モータ駆動手段と、設定時間計測手段と、励起駆動手段と、前記モータ自動駆動手段および所定時間計測手段により送風機のモータおよび励起手段を駆動させる駆動回路を設けた構成としたものである。
【００１０】
そして本発明によれば、常温で調理後に付着した調理油を分解、気化する自己浄化機能を有し、この自己浄化機能を運転制御することができる換気装置が得られる。
【００１１】
また他の手段は、送風機スイッチと、モータ駆動手段と、設定時間計測手段と、励起駆動手段と、モータ自動駆動手段と、所定時間計測手段と、送風機スイッチ操作判断手段および残置時間記憶手段により送風機のモータおよび励起手段を駆動させる駆動回路を設けた構成としたものである。
【００１２】
そして本発明によれば、常温で調理後に付着した調理油を分解、気化する自己浄化機能を有し、この自己浄化機能を運転制御することができる換気装置が得られる。
【００１３】
また他の手段は、室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記モータを制御するモータ駆動手段を設け、設定時間経過を計測する設定時間計測手段を設け、前記励起手段を制御する励起駆動手段を設け、所定時間経過を計測する所定時間計測手段を設け、前記フード本体の下部に吸気口を設け、前記吸気口に吸気口側二酸化炭素量検知素子を設け、前記吸気口側二酸化炭素量検知素子の入力を検知する吸気口側二酸化炭素量検知手段を設け、排気口に送風機側二酸化炭素量検知素子を設け、前記送風機側二酸化炭素量検知素子の入力を検知する送風機側二酸化炭素量検知手段を設け、前記吸気口側二酸化炭素量検知手段が検知した吸気口側二酸化炭素量と前記送風機側二酸化炭素量検知手段が検知した送風機側二酸化炭素量を比較判断する二酸化炭素量演算手段を設け、送風機スイッチと、モータ駆動手段と、設定時間計測手段と、励起駆動手段と、モータ自動駆動手段と、前記吸気口側二酸化炭素量検知素子と、前記吸気口側二酸化炭素量検知手段と、前記送風機側二酸化炭素量検知素子と、前記送風機側二酸化炭素量検知手段および前記二酸化炭素量演算手段により送風機のモータおよび励起手段を駆動させる駆動回路を設けた構成としたものである。
【００１４】
そして本発明によれば、常温で調理後に付着した調理油を分解、気化する自己浄化機能を有し、この自己浄化機能を運転制御することができる換気装置が得られる。
【００１５】
また他の手段は、二酸化炭素量演算手段が吸気口側二酸化炭素量と送風機側二酸化炭素量を比較している間に送風機スイッチが操作されたかを判断する送風機スイッチ入力判断手段を設け、前記送風機スイッチと、モータ駆動手段と、設定時間計測手段と、励起駆動手段と、モータ自動駆動手段と、吸気口側二酸化炭素量検知素子と、吸気口側二酸化炭素量検知手段と、送風機側二酸化炭素量検知素子と、送風機側二酸化炭素量検知手段と、前記二酸化炭素量演算手段および前記送風機スイッチ入力判断手段により送風機のモータおよび励起手段を駆動させる駆動回路を設けた構成としたものである。
【００１６】
そして本発明によれば、常温で調理後に付着した調理油を分解、気化する自己浄化機能を有し、この自己浄化機能を運転制御することができる換気装置が得られる。
【００１７】
【発明の実施の形態】
本発明は、室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記送風機スイッチの入力の信号を受けて前記モータを制御するモータ駆動手段を設け、設定時間経過を計測する設定時間計測手段を設け、前記励起手段を制御する励起駆動手段を設け、所定時間経過を計測する所定時間計測手段を設け、前記所定時間計測手段が計測している一定時間経過以内に送風機スイッチが操作されたかを判断する送風機スイッチ操作判断手段を設け、一定時間経過以内に前記送風機スイッチが操作されたかを判断して、前記送風機スイッチが操作された時点で、一定時間から所定時間を差し引いた残置時間を記憶する残置時間記憶手段を設け、前記送風機スイッチと、前記モータ駆動手段と、前記設定時間計測手段と、前記励起駆動手段と、前記所定時間計測手段と、前記送風機スイッチ操作判断手段および前記残置時間記憶手段により送風機のモータおよび励起手段を駆動させる駆動回路を設けた構成としたものであり、常温で調理後に付着した調理油を分解、気化することができる換気装置の自己浄化機能の運転制御ができるという作用を有する。
【００１８】
以下、本発明の実施例について図面を参照しながら説明する。
【００１９】
【実施例】
（参考例１）図１、図２および図３に示すように、１は換気装置のフード本体であり、下部は開口して吸気口２を形成し、レンジ（図示しない）の上方に位置するよう壁面３に取付けられている。前記フード本体１の内部には、モータ４とファン４ａを有する送風機５を収納しており、レンジより発生した油煙６を前記吸気口２から送風機５によって吸い込み、フード本体１の上面に設けられた排気口７を通じて、室外に排出するように形成されている。さらに、前記フード本体１の吸気口２と前記送風機５を結ぶ通風路には、油煙６中の油滴８を捕捉するフィルタ９を配設している。このフィルタ９は全面に吸気孔１０を有するパンチングメタルなどで形成されている。そして、フード本体１内部のフィルタ９面より吸気側に一定の空間部１１を設け、この空間部１１のフード本体１内面とフィルタ９表面には、付着した調理油を分解、気化させる触媒１２（たとえば酸化触媒、光触媒など）が設けられている。また、前記フード本体１の内部下方、フィルタ９と対向する面には、前記触媒１２を励起、活性化させる励起手段１３が設けられている。この励起手段１３は、近紫外光照射ランプ１４で構成されている。フード本体１には送風機５のモータ４の駆動および停止をさせる送風機スイッチ１５が設けてあり、送風機スイッチ１５の入力の信号を受けて、送風機５のモータ４および励起手段１３の制御を行う制御部１６Ａが設けられている。
【００２０】
図２において、制御部１６Ａには送風機５のモータ４を制御するモータ駆動手段１７と、設定時間経過を計測する設定時間計測手段１８と、前記励起手段１３を制御する励起駆動手段ａ１９と、所定時間経過を計測する所定時間計測手段２０が設けられている。前記送風機スイッチ１５と、前記モータ駆動手段１７と、前記設定時間計測手段１８と、前記励起駆動手段ａ１９および前記所定時間計測手段２０により送風機５のモータ４および前記励起手段１３を駆動させる駆動回路２１を設けたものである。
【００２１】
上記構成において、調理時には送風機５のモータ４を駆動回転させ、発生した油煙６がフード本体１の吸気口２から吸い込まれ、フィルタ９に吸引され、油煙６中の油滴８はフィルタ９に付着捕捉される。したがって、油滴８が浄化された空気は、フード本体１内奥部やモータ４、送風機５を、ほとんど汚すことなく排気口７を通じて室外に排気される。一方、フィルタ９は油滴８の付着により吸気孔１０が徐々に目詰まりしてくるため、定期的に除去する必要がある。この場合には、励起手段１３の近紫外光照射ランプ１４を点灯させ、放射される励起光をフィルタ９表面に設けられた触媒１２と反応させ、フィルタ９に付着した油滴８を、常温で低炭素分子、二酸化炭素、水蒸気に分解、気化させることができ、フィルタ９を浄化させる。そして、空間部１１のフード本体１内面にも油滴８は付着するが、フィルタ９表面と比較して小量で、フィルタ９に照射された励起光の反射光で、油滴８を充分常温状態で、低炭素分子、二酸化炭素、水蒸気に分解、気化させる換気装置の自己浄化機能を運転制御することとなる。
【００２２】
また換気装置の制御部分について、モータ駆動手段１７は、送風機スイッチ１５の運転入力の信号を受けて送風機５の運転を制御する駆動回路２１を通じてモータ４を駆動させ、また、前記モータ駆動手段１７は、送風機スイッチ１５の停止入力の信号を受けて送風機５の運転を制御する駆動回路２１を通じてモータ４を停止させる。設定時間計測手段１８は、設定時間経過を計測する。励起駆動手段ａ１９は、予め設定していた時間になると設定時間計測手段１８の信号を受けて励起手段１３の運転を制御する駆動回路２１を通じて励起手段１３を駆動させる。所定時間計測手段２０は、励起手段１３が駆動された時点から所定時間を計測する。前記励起駆動手段ａ１９は、前記所定時間計測手段２０の信号から励起手段１３の運転を制御する駆動回路２１を通じて励起手段１３を停止させる。
【００２３】
図３において、換気装置の動作は、ステップ４０で設定時間になったかを確認し、設定時間になっていなければ、ステップ４１へ進む。ステップ４１で送風機スイッチ１５の運転入力を確認し、入力がなければ、ステップ４０へ戻る。ステップ４１で送風機スイッチ１５の運転入力が確認されると、ステップ４２へ進み、モータ駆動手段１７がステップ４１の送風機スイッチ１５の運転入力の信号を受けて駆動回路２１を通じてモータ４を駆動させ、ステップ４３へ移る。ステップ４３で送風機スイッチ１５の停止入力を確認し、入力がなければ、入力があるまでステップ４３を繰り返す。ステップ４３で送風機スイッチ１５の停止入力が確認されると、ステップ４４へ進み、モータ駆動手段１７はステップ４３の送風機スイッチ１５の停止入力の信号を受けて駆動回路２１を通じてモータ４を停止させ、ステップ４０へ戻る。
【００２４】
また、ステップ４０で設定時間になると、ステップ４５へ進み、励起駆動手段ａ１９がステップ４０の設定時間計測手段１８の信号を受けて駆動回路２１を通じて励起手段１３を駆動させ、ステップ４６へ移り、所定時間計測手段２０が所定時間の計測をスタートさせ、ステップ４７へ移る。ステップ４７でステップ４６において計測をスタートさせた所定時間を確認して、一定時間が経過するまでステップ４７を繰り返す。ステップ４７で一定時間が経過すれば、ステップ４８へ進み、所定時間計測手段２０がステップ４６でスタートさせた所定時間の計測をストップさせて、ステップ４９へ移り、励起駆動手段ａ１９がステップ４８の所定時間計測手段２０の信号を受けて駆動回路２１を通じて励起手段１３を停止させ、ステップ４０へ戻る。
【００２５】
このように本発明の第１参考例の換気装置によれば、ある設定時間になると、一定時間が経過するまで調理後に付着した調理油を触媒と励起手段により、常温で、分解、気化する換気装置の自己浄化機能を運転制御することができる。
【００２６】
なお、参考例では、モータ駆動手段がモータを駆動させているときは、その回転数を限定していないが、任意の回転数に切替えるようにしてもよい。
【００２７】
（実施例１）図４および図５を参照しながら説明する。なお第１実施例と同一箇所には同一番号を付し、その詳細な説明は省略する。
【００２８】
図４において、制御部１６Ａには一定時間経過以内に送風機スイッチ１５が操作されたかを判断する送風機スイッチ操作判断手段２２を設け、一定時間経過以内に送風機スイッチ１５が操作されたかを判断して前記送風機スイッチ１５が操作された時点で、一定時間から所定時間を差し引いた残置時間を記憶する残置時間記憶手段２３を設け、前記送風機スイッチ１５と、モータ駆動手段１７と、設定時間計測手段１８と、励起駆動手段ａ１９と、所定時間計測手段２０と、前記送風機スイッチ操作判断手段２２および前記残置時間記憶手段２３により送風機５のモータ４および励起手段１３を駆動させる駆動回路２１を設けたものである。
【００２９】
上記構成により換気装置の制御部分について、送風機スイッチ操作判断手段２２は、所定時間計測手段２０が所定時間を計測している間に送風機スイッチ１５が操作されたかを判断する。残置時間記憶手段２３は、所定時間計測手段２０で所定時間の計測を開始後、一定時間経過以内に送風機スイッチ１５が操作されたかを判断して、前記送風機スイッチ１５が操作された時点で、一定時間から所定時間を差し引いた残り時間を記憶する。
【００３０】
図５において、換気装置の動作は、ステップ５０で設定時間になったかを確認し、設定時間になっていなければ、ステップ５１へ進む。ステップ５１で送風機スイッチ１５の運転入力を確認し、入力がなければ、ステップ５０へ戻る。ステップ５１で送風機スイッチ１５の運転入力が確認されると、ステップ５２へ進み、モータ駆動手段１７がステップ５１の送風機スイッチ１５の運転入力の信号を受けて駆動回路２１を通じてモータ４を駆動させ、ステップ５３へ移る。ステップ５３で送風機スイッチ１５の停止入力を確認し、入力がなければ、入力があるまでステップ５３を繰り返す。ステップ５３で送風機スイッチ１５の停止入力が確認されると、ステップ５４へ進み、モータ駆動手段１７はステップ５３の送風機スイッチ１５の停止入力の信号を受けて駆動回路２１を通じてモータ４を停止させ、ステップ５０へ戻る。
【００３１】
また、ステップ５０で設定時間になると、ステップ５５へ進み、励起駆動手段ａ１９がステップ５０の設定時間計測手段１８の信号を受けて駆動回路２１を通じて励起手段１３を駆動させ、ステップ５６へ移り、所定時間計測手段２０が所定時間の計測をスタートさせ、ステップ５７へ移り、送風機スイッチ操作判断手段２２が一定時間内に送風機スイッチ１５が操作されるか判断をスタートして、ステップ５８へ移り、残置時間記憶手段２３が一定時間から、ステップ５６で計測をスタートさせた所定時間を差し引いた残り時間の記憶をスタートさせ、ステップ５９へ移る。ステップ５９でステップ５６において計測をスタートさせた所定時間を確認して、一定時間が経過していなければ、ステップ６０へ進み、送風機スイッチ１５の操作を確認し、運転入力がなければステップ５９へ戻る。ステップ６０で送風機スイッチ１５の運転入力があれば、ステップ６１へ進み、モータ駆動手段１７がステップ６０の送風機スイッチ１５の運転入力の信号を受けて駆動回路２１を通じてモータ４を駆動させ、ステップ６２へ移り、残置時間記憶手段２３が一定時間から、ステップ５６で計測をスタートさせた所定時間を差し引いた残り時間を記憶させ、新たな一定時間が励起手段１３の駆動時間とし、ステップ６３へ移る。ステップ６３で送風機スイッチ１５の停止入力を確認し、入力がなければ、入力があるまでステップ６３を繰り返す。ステップ６３で送風機スイッチ１５の停止入力が確認されると、ステップ６４へ進み、モータ駆動手段１７がステップ６３の送風機スイッチ１５の停止入力の信号を受けて駆動回路２１を通じてモータ４を停止させ、ステップ５９へ戻る。
【００３２】
また、ステップ５９で一定時間が経過していれば、ステップ６５へ進み、所定時間計測手段２０がステップ５６でスタートさせた所定時間の計測をストップさせて、ステップ６６へ移り、励起駆動手段ａ１９がステップ６５の所定時間計測手段２０の信号を受けて駆動回路２１を通じて励起手段１３を停止させ、ステップ５０へ戻る。
【００３３】
このように本発明の第１実施例の換気装置によれば、ある設定時間になると、一定時間が経過するまで調理後に付着した調理油を触媒と励起手段により、常温で、分解、気化させ、また、一定時間経過以内でも換気装置を使用できる換気装置の自己浄化機能を運転制御することができる。
【００３４】
（実施例２）図６および図７を参照しながら説明する。なお第１参考例と同一箇所には同一番号を付し、その詳細な説明は省略する。
【００３５】
図６において、制御部１６Ａにはモータ駆動手段１７と別に送風機５のモータ４を制御するモータ自動駆動手段ａ２４を設け、送風機スイッチ１５と、前記モータ駆動手段１７と、設定時間計測手段１８と、励起駆動手段ａ１９と、前記モータ自動駆動手段ａ２４および所定時間計測手段２０により送風機５のモータ４および励起手段１３を駆動させる駆動回路２１を設けたものである。
【００３６】
上記構成により換気装置の制御部分について、モータ自動駆動手段ａ２４は、モータ駆動手段１７が送風機スイッチ１５の運転および停止入力の信号を受けて駆動回路２１を通じてモータ４を駆動および停止させるのとは別に、励起駆動手段ａ１９による励起手段１３の駆動の信号を受けて送風機５の運転を制御する駆動回路２１を通じてモータ４を駆動させ、また、モータ自動駆動手段ａ２４が励起駆動手段ａ１９による励起手段１３の停止の信号を受けて送風機５の運転を制御する駆動回路２１を通じてモータ４を停止させる。
【００３７】
図７において、換気装置の動作は、ステップ６７で設定時間になったかを確認し、設定時間になっていなければ、ステップ６８へ進む。ステップ６８で送風機スイッチ１５の運転入力を確認し、入力がなければ、ステップ６７へ戻る。ステップ６８で送風機スイッチ１５の運転入力が確認されると、ステップ６９へ進み、モータ駆動手段１７がステップ６８の送風機スイッチ１５の運転入力の信号を受けて駆動回路２１を通じてモータ４を駆動させ、ステップ７０へ移る。ステップ７０で送風機スイッチ１５の停止入力を確認し、入力がなければ、入力があるまでステップ７０を繰り返す。ステップ７０で送風機スイッチ１５の停止入力が確認されると、ステップ７１へ進み、モータ駆動手段１７はステップ７０の送風機スイッチ１５の停止入力の信号を受けて駆動回路２１を通じてモータ４を停止させ、ステップ６７へ戻る。
【００３８】
また、ステップ６７で設定時間になると、ステップ７２へ進み、励起駆動手段ａ１９がステップ６７の設定時間計測手段１８の信号を受けて駆動回路２１を通じて励起手段１３を駆動させ、ステップ７３へ移り、モータ自動駆動手段ａ２４がステップ７２の励起駆動手段ａ１９による励起手段１３の駆動の信号を受けて駆動回路２１を通じてモータ４を駆動させ、ステップ７４へ移り、所定時間計測手段２０が所定時間の計測をスタートさせ、ステップ７５へ移る。ステップ７５でステップ７４において計測をスタートさせた所定時間を確認して、一定時間が経過するまでステップ７５を繰り返す。ステップ７５で一定時間が経過すれば、ステップ７６へ進み、所定時間計測手段２０がステップ７４でスタートさせた所定時間の計測をストップさせて、ステップ７７へ移り、励起駆動手段ａ１９がステップ７６の所定時間計測手段２０の信号を受けて駆動回路２１を通じて励起手段１３を停止させ、ステップ７８へ移り、モータ自動駆動手段ａ２４がステップ７７の励起駆動手段ａ１９による励起手段１３の停止の信号を受けて駆動回路２１を通じてモータ４を停止させ、ステップ６７へ戻る。
【００３９】
このように本発明の第２実施例の換気装置によれば、ある設定時間になると、一定時間が経過するまで調理後に付着した調理油を触媒と励起手段により、常温で、分解、気化させ、さらに、分解、気化した成分（低炭素分子、二酸化炭素、水蒸気）を送風機によって室外に排出させる換気装置の自己浄化機能を運転制御することができる。
【００４０】
なお、実施例では、自動モータ駆動手段がモータを駆動させているときは、その回転数を限定していないが、調理油を触媒と励起手段により、分解、気化した成分（低炭素分子、二酸化炭素、水蒸気）を排気する程度に相当するモータの回転数でもよい。
【００４１】
（実施例３）図８および図９を参照しながら説明する。なお第１参考例、第１および第２実施例と同一箇所には同一番号を付し、その詳細な説明は省略する。
【００４２】
図８において、制御部１６Ａにはモータ駆動手段１７と別に送風機５のモータ４を制御するモータ自動駆動手段ｂ２５を設け、送風機スイッチ１５と、前記モータ駆動手段１７と、設定時間計測手段１８と、励起駆動手段ａ１９と、前記モータ自動駆動手段ｂ２５と、所定時間計測手段２０と、送風機スイッチ操作判断手段２２および残置時間記憶手段２３により送風機５のモータ４および励起手段１３を駆動させる駆動回路２１を設けたものである。
【００４３】
上記構成により換気装置の制御部分について、モータ自動駆動手段ｂ２５は、モータ駆動手段１７が送風機スイッチ１５の運転および停止入力の信号を受けて駆動回路２１を通じてモータ４を駆動および停止させるのとは別に、励起駆動手段ａ１９による励起手段１３の駆動の信号を受けて送風機５の運転を制御する駆動回路２１を通じてモータ４を駆動させ、または、送風機スイッチ１５の停止入力の信号を受けて送風機５の運転を制御する駆動回路２１を通じてモータ４を駆動させ、さらに、モータ自動駆動手段ｂ２５は励起駆動手段ａ１９による励起手段１３の停止の信号を受けて送風機５の運転を制御する駆動回路２１を通じてモータ４を停止させ、または、送風機スイッチ１５の運転入力の信号を受けて送風機５の運転を制御する駆動回路２１を通じてモータ４を停止させる。
【００４４】
図９において、換気装置の動作は、ステップ７９で設定時間になったかを確認し、設定時間になっていなければ、ステップ８０へ進む。ステップ８０で送風機スイッチ１５の運転入力を確認し、入力がなければ、ステップ７９へ戻る。ステップ８０で送風機スイッチ１５の運転入力が確認されると、ステップ８１へ進み、モータ駆動手段１７がステップ８０の送風機スイッチ１５の運転入力の信号を受けて駆動回路２１を通じてモータ４を駆動させ、ステップ８２へ移る。ステップ８２で送風機スイッチ１５の停止入力を確認し、入力がなければ、入力があるまでステップ８２を繰り返す。ステップ８２で送風機スイッチ１５の停止入力が確認されると、ステップ８３へ進み、モータ駆動手段１７はステップ８２の送風機スイッチ１５の停止入力の信号を受けて駆動回路２１を通じてモータ４を停止させ、ステップ７９へ戻る。
【００４５】
また、ステップ７９で設定時間になると、ステップ８４へ進み、励起駆動手段ａ１９がステップ７９の設定時間計測手段１８の信号を受けて駆動回路２１を通じて励起手段１３を駆動させ、ステップ８５へ移り、モータ自動駆動手段ｂ２５がステップ８４の励起駆動手段ａ１９による励起手段１３の駆動の信号を受けて駆動回路２１を通じてモータ４を駆動させ、ステップ８６へ移り、所定時間計測手段２０が所定時間の計測をスタートさせ、ステップ８７へ移り、送風機スイッチ操作判断手段２２が一定時間内に送風機スイッチ１５が操作されるか判断をスタートして、ステップ８８へ移り、残置時間記憶手段２３が一定時間から、ステップ８６で計測をスタートさせた所定時間を差し引いた残り時間の記憶をスタートさせ、ステップ８９へ移る。ステップ８９でステップ８６において計測をスタートさせた所定時間を確認して、一定時間が経過していなければ、ステップ９０へ進み、送風機スイッチ１５の操作を確認し、運転入力がなければステップ８９へ戻る。ステップ９０で送風機スイッチ１５の運転入力があれば、ステップ９１へ進み、モータ自動駆動手段ｂ２５がステップ９０の送風機スイッチ１５の運転入力の信号を受けて駆動回路２１を通じてモータ４を停止させ、ステップ９２へ移り、モータ駆動手段１７がステップ９０の送風機スイッチ１５の運転入力の信号を受けて駆動回路２１を通じてモータ４を駆動させ、ステップ９３へ移り、残置時間記憶手段２３が一定時間から、ステップ８６で計測をスタートさせた所定時間を差し引いた残り時間を記憶させ、新たな一定時間を励起手段１３の駆動時間とし、ステップ９４へ移る。ステップ９４で送風機スイッチ１５の停止入力を確認し、入力がなければ、入力があるまでステップ９４を繰り返す。ステップ９４で送風機スイッチ１５の停止入力が確認されると、ステップ９５へ進み、モータ駆動手段１７がステップ９４の送風機スイッチ１５の停止入力の信号を受けて駆動回路２１を通じてモータ４を停止させ、ステップ９６へ移り、モータ自動駆動手段ｂ２５がステップ９４の送風機スイッチ１５の停止入力の信号を受けて駆動回路２１を通じてモータ４を駆動させ、ステップ８９へ戻る。
【００４６】
また、ステップ８９で所定時間が経過していれば、ステップ９７へ進み、所定時間計測手段２０がステップ８６でスタートさせた所定時間の計測をストップさせて、ステップ９８へ移り、励起駆動手段ａ１９がステップ９７の所定時間計測手段２０の信号を受けて駆動回路２１を通じて励起手段１３を停止させ、ステップ９９へ移り、モータ自動駆動手段ｂ２５がステップ９８の励起駆動手段ａ１９による励起手段１３の停止の信号を受けて駆動回路２１を通じてモータ４を停止させ、ステップ７９へ戻る。
【００４７】
このように本発明の第３実施例の換気装置によれば、ある設定時間になると、一定時間が経過するまで調理後に付着した調理油を触媒と励起手段により、常温で、分解、気化させ、さらに、分解、気化した成分（低炭素分子、二酸化炭素、水蒸気）を送風機によって室外に排出させることができ、また、一定時間経過以内でも換気装置を使用できる換気装置の自己浄化機能を運転制御することができる。
【００４８】
（実施例４）図１０、図１１および図１２を参照しながら説明する。なお第１参考例および第２実施例と同一箇所には同一番号を付し、その詳細な説明は省略する。
【００４９】
図１０および図１１において、吸気口２には吸気口２から吸い込む空気の二酸化炭素量に感応して導電特性が変化する吸気口側二酸化炭素量検知素子２６を設け、排気口７には送風機５から排出される空気の二酸化炭素量に感応して導電特性が変化する送風機側二酸化炭素量検知素子２７を設けている。送風機スイッチ１５の入力を受けて、送風機５のモータ４および励起手段１３の制御を行う制御部１６Ｂを設け、制御部１６Ｂには励起手段１３の運転を制御する励起駆動手段ｂ２８を設け、前記吸気口側二酸化炭素量検知素子２６の入力を検知する吸気口側二酸化炭素量検知手段２９を設け、前記送風機側二酸化炭素量検知素子２７の入力を検知する送風機側二酸化炭素量検知手段３０を設け、前記吸気口側二酸化炭素量検知手段２９が検知した吸気口側二酸化炭素量と前記送風機側二酸化炭素量検知手段３０が検知した送風機側二酸化炭素量を比較判断する二酸化炭素量演算手段３１を設け、前記送風機スイッチ１５と、モータ駆動手段１７と、設定時間計測手段１８と、前記励起駆動手段ｂ２８と、モータ自動駆動手段ａ２４と、前記吸気口側二酸化炭素量検知素子２６と、前記吸気口側二酸化炭素量検知手段２９と、前記送風機側二酸化炭素量検知素子２７と、前記送風機側二酸化炭素量検知手段３０および前記二酸化炭素量演算手段３１により送風機５のモータ４および前記励起手段１３を駆動させる駆動回路２１を設けたものである。
【００５０】
上記構成により換気装置の制御部分について、励起駆動手段ｂ２８は、予め設定していた時間になると設定時間計測手段１８の信号を受けて励起手段１３の運転を制御する駆動回路２１を通じて励起手段１３を駆動させる。吸気口側二酸化炭素量検知手段２９は吸気口側二酸化炭素量検知素子２６の入力を検知し、送風機側二酸化炭素量検知手段３０は送風機側二酸化炭素量検知素子２７の入力を検知する。二酸化炭素量演算手段３１は前記吸気口側二酸化炭素量検知手段２９が検知した吸気口側二酸化炭素量と前記送風機側二酸化炭素量検知手段３０が検知した送風機側二酸化炭素量を比較判断する。前記励起駆動手段ｂ２８は、二酸化炭素量演算手段３１の信号を受けて励起手段１３の運転を制御する駆動回路２１を通じて励起手段１３を停止させる。
【００５１】
図１２において、換気装置の動作は、ステップ１００で設定時間になったかを確認し、設定時間になっていなければ、ステップ１０１へ進む。ステップ１０１で送風機スイッチ１５の運転入力を確認し、入力がなければ、ステップ１００へ戻る。ステップ１０１で送風機スイッチ１５の運転入力が確認されると、ステップ１０２へ進み、モータ駆動手段１７がステップ１０１の送風機スイッチ１５の運転入力の信号を受けて駆動回路２１を通じてモータ４を駆動させ、ステップ１０３へ移る。ステップ１０３で送風機スイッチ１５の停止入力を確認し、入力がなければ、入力があるまでステップ１０３を繰り返す。ステップ１０３で送風機スイッチ１５の停止入力が確認されると、ステップ１０４へ進み、モータ駆動手段１７はステップ１０３の送風機スイッチ１５の停止入力の信号を受けて駆動回路２１を通じてモータ４を停止させ、ステップ１００へ戻る。
【００５２】
また、ステップ１００で設定時間になると、ステップ１０５へ進み、励起駆動手段ｂ２８がステップ１００の設定時間計測手段１８の信号を受けて駆動回路２１を通じて励起手段１３を駆動させ、ステップ１０６へ移り、モータ自動駆動手段ａ２４がステップ１０５の励起駆動手段ｂ２８による励起手段１３の駆動の信号を受けて駆動回路２１を通じてモータ４を駆動させ、ステップ１０７へ移り、吸気口側二酸化炭素量検知手段２９が吸気口側二酸化炭素量検知素子２６の入力を検知して吸気口側の二酸化炭素量の計測をスタートさせ、ステップ１０８へ移り、送風機側二酸化炭素量検知手段３０が送風機側二酸化炭素量検知素子２７の入力を検知して送風機側の二酸化炭素量の計測をスタートさせ、ステップ１０９へ移り、二酸化炭素量演算手段３１が吸気口側二酸化炭素量検知手段２９の検知した吸気口側二酸化炭素量と送風機側二酸化炭素量検知手段３０の検知した送風機側二酸化炭素量の比較確認をスタートさせ、ステップ１１０へ移る。ステップ１１０で吸気口側二酸化炭素量と送風機側二酸化炭素量を比較確認して、送風機側二酸化炭素量が吸気口側二酸化炭素量以下になるまでステップ１１０を繰り返す。ステップ１１０で送風機側二酸化炭素量が吸気口側二酸化炭素量以下になれば、ステップ１１１へ進み、励起駆動手段ｂ２８が二酸化炭素量演算手段３１の信号を受けて駆動回路２１を通じて励起手段１３を停止させ、ステップ１１２へ移り、モータ自動駆動手段ａ２４がステップ１１１の励起駆動手段ｂ２８による励起手段１３の停止の信号を受けて駆動回路２１を通じてモータ４を停止させ、ステップ１００へ戻る。
【００５３】
このように本発明の第４実施例の換気装置によれば、ある設定時間になると、（換気装置に付着した調理油を触媒と励起手段により分解、気化させると低炭素分子、二酸化炭素、水蒸気になり、送風機側の二酸化炭素量は吸気口側の二酸化炭素量より多くなるので、送風機側の二酸化炭素量と吸気口側の二酸化炭素量を比較することにより励起手段の駆動を制御する）送風機側の二酸化炭素量が吸気口側の二酸化炭素量より多い間、調理後に付着した調理油を触媒と励起手段により、常温で、分解、気化させ、さらに、分解、気化した成分（低炭素分子、二酸化炭素、水蒸気）を送風機によって室外に排出させる換気装置の自己浄化機能を運転制御することができる。
【００５４】
（実施例５）図１３および図１４を参照しながら説明する。なお第１参考例、第２および第４実施例と同一箇所には同一番号を付し、その詳細な説明は省略する。
【００５５】
図１３において、制御部１６Ｂには二酸化炭素量演算手段３１が吸気口側二酸化炭素量と送風機側二酸化炭素量を比較している間に送風機スイッチ１５が操作されたかを判断する送風機スイッチ入力判断手段３２を設け、前記送風機スイッチ１５と、前記モータ駆動手段１７と、設定時間計測手段１８と、励起駆動手段ｂ２８と、モータ自動駆動手段ｂ２５と、吸気口側二酸化炭素量検知素子２６と、吸気口側二酸化炭素量検知手段２９と、送風機側二酸化炭素量検知素子２７と、送風機側二酸化炭素量検知手段３０と、前記二酸化炭素量演算手段３１および前記送風機スイッチ入力判断手段３２により送風機５のモータ４および励起手段１３を駆動させる駆動回路２１を設けたものである。
【００５６】
上記構成により換気装置の制御部分について、送風機スイッチ入力判断手段３２は、二酸化炭素量演算手段３１が吸気口側二酸化炭素量と送風機側二酸化炭素量を比較確認している間に、送風機スイッチ１５が操作されたかを判断する。
【００５７】
図１４において、換気装置の動作は、ステップ１１３で設定時間になったかを確認し、設定時間になっていなければ、ステップ１１４へ進む。ステップ１１４で送風機スイッチ１５の運転入力を確認し、入力がなければ、ステップ１１３へ戻る。ステップ１１４で送風機スイッチ１５の運転入力が確認されると、ステップ１１５へ進み、モータ駆動手段１７がステップ１１４の送風機スイッチ１５の運転入力の信号を受けて駆動回路２１を通じてモータ４を駆動させ、ステップ１１６へ移る。ステップ１１６で送風機スイッチ１５の停止入力を確認し、入力がなければ、入力があるまでステップ１１６を繰り返す。ステップ１１６で送風機スイッチ１５の停止入力が確認されると、ステップ１１７へ進み、モータ駆動手段１７はステップ１１６の送風機スイッチ１５の停止入力の信号を受けて駆動回路２１を通じてモータ４を停止させ、ステップ１１３へ戻る。
【００５８】
また、ステップ１１３で設定時間になると、ステップ１１８へ進み、励起駆動手段ｂ２８がステップ１１３の設定時間計測手段１８の信号を受けて駆動回路２１を通じて励起手段１３を駆動させ、ステップ１１９へ移り、モータ自動駆動手段ｂ２５がステップ１１８の励起駆動手段ｂ２８による励起手段１３の駆動の信号を受けて駆動回路２１を通じてモータ４を駆動させ、ステップ１２０へ移り、吸気口側二酸化炭素量検知手段２９が吸気口側二酸化炭素量検知素子２６の入力を検知して吸気口側の二酸化炭素量の計測をスタートさせ、ステップ１２１へ移り、送風機側二酸化炭素量検知手段３０が送風機側二酸化炭素量検知素子２７の入力を検知して送風機側の二酸化炭素量の計測をスタートさせ、ステップ１２２へ移り、二酸化炭素量演算手段３１が吸気口側二酸化炭素量検知手段２９の検知した吸気口側二酸化炭素量と送風機側二酸化炭素量検知手段３０の検知した送風機側二酸化炭素量の比較確認をスタートさせ、ステップ１２３へ移り、二酸化炭素量演算手段３１が二酸化炭素量を比較確認している間に、送風機スイッチ入力判断手段３２が送風機スイッチ１５が操作されるか判断をスタートして、ステップ１２４へ移る。ステップ１２４でステップ１２２でスタートさせた吸気口側二酸化炭素量と送風機側二酸化炭素量を比較確認して、送風機側二酸化炭素量が吸気口側二酸化炭素量より多ければ、ステップ１２５へ進み、送風機スイッチ１５の操作を確認し、運転入力がなければステップ１２４へ戻る。ステップ１２５で送風機スイッチ１５の運転入力があれば、ステップ１２６へ進み、モータ自動駆動手段ｂ２５がステップ１２５の送風機スイッチ１５の運転入力の信号を受けて駆動回路２１を通じてモータ４を停止させ、ステップ１２７へ移り、モータ駆動手段１７がステップ１２５の送風機スイッチ１５の運転入力の信号を受けて駆動回路２１を通じてモータ４を駆動させ、ステップ１２８へ移る。ステップ１２８で送風機スイッチ１５の停止入力を確認し、入力がなければ、入力があるまでステップ１２８を繰り返す。ステップ１２８で送風機スイッチ１５の停止入力が確認されると、ステップ１２９へ進み、モータ駆動手段１７がステップ１２８の送風機スイッチ１５の停止入力の信号を受けて駆動回路２１を通じてモータ４を停止させ、ステップ１３０へ移り、モータ自動駆動手段ｂ２５がステップ１２８の送風機スイッチ１５の停止入力の信号を受けて駆動回路２１を通じてモータ４を駆動させ、ステップ１２４へ戻る。
【００５９】
また、ステップ１２４で送風機側二酸化炭素量が吸気口側二酸化炭素量以下になれば、ステップ１３１へ進み、励起駆動手段ｂ２８が二酸化炭素量演算手段３１の信号を受けて駆動回路２１を通じて励起手段１３を停止させ、ステップ１３２へ移り、モータ自動駆動手段ｂ２５がステップ１３１の励起駆動手段ｂ２８による励起手段１３の停止の信号を受けて駆動回路２１を通じてモータ４を停止させ、ステップ１１３へ戻る。
【００６０】
このように本発明の第５実施例の換気装置によれば、ある設定時間になると、（換気装置に付着した調理油を触媒と励起手段により分解、気化させると低炭素分子、二酸化炭素、水蒸気になり、送風機側の二酸化炭素量は吸気口側の二酸化炭素量より多くなるので、送風機側の二酸化炭素量と吸気口側の二酸化炭素量を比較することにより励起手段およびモータの駆動を制御する）送風機側の二酸化炭素量が吸気口側の二酸化炭素量より多い間、調理後に付着した調理油を触媒と励起手段により、常温で、分解、気化させ、さらに、分解、気化した成分（低炭素分子、二酸化炭素、水蒸気）を送風機によって室外に排出させることができ、また、調理油を触媒と励起手段により分解、気化させている間にも換気装置を使用可能にする換気装置の自己浄化機能を運転制御することができる。
【００６１】
【発明の効果】
以上の実施例から明らかなように、本発明によれば、ある設定時間になると、一定時間が経過するまで調理後に付着した調理油を触媒と励起手段により、常温で、分解、気化させ、また、一定時間経過以内でも換気装置を使用できる換気装置の自己浄化機能を運転制御することができ、また、ある設定時間になると、一定時間が経過するまで調理後に付着した調理油を触媒と励起手段により、常温で、分解、気化させ、さらに、分解、気化した成分（低炭素分子、二酸化炭素、水蒸気）を送風機によって室外に排出させる換気装置の自己浄化機能を運転制御することができ、また、ある設定時間になると、一定時間が経過するまで調理後に付着した調理油を触媒と励起手段により、常温で、分解、気化させ、さらに、分解、気化した成分（低炭素分子、二酸化炭素、水蒸気）を送風機によって室外に排出させることができ、また、一定時間経過以内でも換気装置を使用できる換気装置の自己浄化機能を運転制御することができ、また、ある設定時間になると、（換気装置に付着した調理油を触媒と励起手段により分解、気化させると低炭素分子、二酸化炭素、水蒸気になり、送風機側の二酸化炭素量は吸気口側の二酸化炭素量より多くなるので、送風機側の二酸化炭素量と吸気口側の二酸化炭素量を比較することにより励起手段の駆動を制御する）送風機側の二酸化炭素量が吸気口側の二酸化炭素量より多い間、調理後に付着した調理油を触媒と励起手段により、常温で、分解、気化させ、さらに、分解、気化した成分（低炭素分子、二酸化炭素、水蒸気）を送風機によって室外に排出させる換気装置の自己浄化機能を運転制御することができ、また、ある設定時間になると、（換気装置に付着した調理油を触媒と励起手段により分解、気化させると低炭素分子、二酸化炭素、水蒸気になり、送風機側の二酸化炭素量は吸気口側の二酸化炭素量より多くなるので、送風機側の二酸化炭素量と吸気口側の二酸化炭素量を比較することにより励起手段およびモータの駆動を制御する）送風機側の二酸化炭素量が吸気口側の二酸化炭素量より多い間、調理後に付着した調理油を触媒と励起手段により、常温で、分解、気化させ、さらに、分解、気化した成分（低炭素分子、二酸化炭素、水蒸気）を送風機によって室外に排出させることができ、また、調理油を触媒と励起手段により分解、気化させている間にも換気装置を使用可能にする換気装置の自己浄化機能を運転制御することができ、常温で調理後に付着した調理油を分解、気化する自己浄化機能を有し、この自己浄化機能を運転制御することができるという効果のある換気装置を提供できる。
【図面の簡単な説明】
【図１】  本発明の参考例１の換気装置を示す縦断面図
【図２】  同制御部を示すブロック図
【図３】  同プログラムのフローチャート
【図４】  本発明の実施例１の換気装置の制御部を示すブロック図
【図５】  同プログラムのフローチャート
【図６】  本発明の実施例２の換気装置の制御部を示すブロック図
【図７】  同プログラムのフローチャート
【図８】  本発明の実施例３の換気装置の制御部を示すブロック図
【図９】  同プログラムのフローチャート
【図１０】  本発明の実施例４の換気装置を示す縦断面図
【図１１】  同制御部を示すブロック図
【図１２】  同プログラムのフローチャート
【図１３】  本発明の実施例５の換気装置の制御部を示すブロック図
【図１４】  同プログラムのフローチャート
【図１５】  従来の換気装置を示す縦断面図
【符号の説明】
１  フード本体
４  モータ
４ａ  ファン
５  送風機
７  排気口
９  フィルタ
１２  触媒
１３  励起手段
１５  送風機スイッチ
１６Ａ  制御部
１６Ｂ  制御部
１７  モータ駆動手段
１８  設定時間計測手段
１９  励起駆動手段ａ
２０  所定時間計測手段
２１  駆動回路
２２  送風機スイッチ操作判断手段
２３  残置時間記憶手段
２４  モータ自動駆動手段ａ
２５  モータ自動駆動手段ｂ
２６  吸気口側二酸化炭素量検知素子
２７  送風機側二酸化炭素量検知素子
２８  励起駆動手段ｂ
２９  吸気口側二酸化炭素量検知手段
３０  送風機側二酸化炭素量検知手段
３１  二酸化炭素量演算手段
３２  送風機スイッチ入力判断手段
【図１】
0003764201.tif 000002
【図２】
0003764201.tif 000003
【図３】
0003764201.tif 000004
【図４】
0003764201.tif 000005
【図５】
0003764201.tif 000006
【図６】
0003764201.tif 000007
【図７】
0003764201.tif 000008
【図８】
0003764201.tif 000009
【図９】
0003764201.tif 000010
【図１０】
0003764201.tif 000011
【図１１】
0003764201.tif 000012
【図１２】
0003764201.tif 000013
【図１３】
0003764201.tif 000014
【図１４】
0003764201.tif 000015
【図１５】
0003764201.tif 000016